(57)【要約】【課題】外気温度に変化がある場合でもレンズ保護機構の駆動部における消費電力の増加を抑えることができる撮像装置を提供する。【解決手段】カメラ１は、レンズ３の被写体側の面をレンズ保護カバー５が覆う位置または開放する位置にレンズ保護カバー５を開閉移動させるレンズ保護アクチュエータ１１と、レンズ３の近傍の外気側の温度を検出する温度検出部４と、温度検出部４により検出された温度に応じて値が変化するものであって、レンズ保護アクチュエータ１１に供給され、レンズ保護カバー５を開閉移動させる駆動信号を生成する温度対応パルス生成部８とを備えるものである。【選択図】      図２
2005003921.tif 000002
【特許請求の範囲】
【請求項１】
光学系を介して撮像手段により被写体を撮像する撮像装置において、
上記光学系の上記被写体側の面を駆動部によりカバー部が覆う位置または開放する位置に上記カバー部を開閉移動させる保護手段と、
上記光学系の近傍の外気側の温度を検出する温度検出手段と、
上記温度検出手段により検出された温度に応じて値が変化するものであって、上記保護手段の上記駆動部に供給され、上記カバー部を開閉移動させる駆動信号を生成する信号生成手段と
を備えたことを特徴とする撮像装置。
【請求項２】
請求項１記載の撮像装置において、
上記温度検出手段は、上記光学系の２軸アクチュエータを有するブロックの外気側に設けられることを特徴とする撮像装置。
【請求項３】
請求項１記載の撮像装置において、
上記信号生成手段は、上記温度検出手段により検出された温度に対応する幅を有するパルス信号を生成することを特徴とする撮像装置。
【請求項４】
請求項３記載の撮像装置において、
上記信号生成手段は、上記温度検出手段により検出された温度が比較的低いときパルス信号の幅を比較的広くし、上記温度検出手段により検出された温度が比較的高いときパルス信号の幅を比較的狭くすることを特徴とする撮像装置。
【請求項５】
請求項４記載の撮像装置において、
上記信号生成手段は、上記パルス信号を積分して上記温度検出手段により検出された温度に応じた電圧の駆動信号を出力する積分手段を有し、上記温度検出手段により検出された温度が比較的低いとき上記駆動信号の電圧を比較的高くし、上記温度検出手段により検出された温度が比較的高いとき上記駆動信号の電圧を比較的低くすることを特徴とする撮像装置。
【請求項６】
光学系を介して撮像手段により被写体を撮像する撮像装置における上記光学系のカバー部を駆動させる保護カバー駆動方法において、
上記光学系の近傍の外気側の温度を温度検出手段により検出する温度検出ステップと、
上記温度検出ステップにより検出された温度に応じて値が変化するものであって、上記カバー部の駆動部に供給され、上記カバー部を開閉移動させる駆動信号を信号生成手段により生成する信号生成ステップと
上記光学系の上記被写体側の面を駆動部によりカバー部が覆う位置または開放する位置に上記カバー部を開閉移動させる保護ステップと、
を備えたことを特徴とする保護カバー駆動方法。
【発明の詳細な説明】
【０００１】
【発明の属する技術分野】
本発明は、例えば、レンズ保護機構を有する撮像装置に関するものである。
【０００２】
【従来の技術】
従来、例えば、特許文献１には、レンズ保護機構を有する撮像装置として、カメラに太陽光等が長時間当たったとき、前面カバーを自動的に閉じるようにして、撮影レンズの温度上昇による変形によるピントずれ並びに太陽電池および二次電池の温度上昇による安全性の低下などを回避するために、撮影時と太陽電池による充電時には、開閉切換スイッチをオンにすると、前面カバーは本体のヒンジ部を中心に前面カバー開閉用モーターの回転により減速ギヤを介して自動的に開き、前面カバーは撮影レンズの画角以上の位置まで回転し、開閉検知スイッチを押したとき停止し、カメラ本体の前面に設けられた温度センサーに太陽光等が当たって、温度センサーの温度が所定値以上に達すると、前面カバーは自動的に閉じるカメラが開示されている。
【０００３】
【特許文献１】
特開平７−１７５１２８号公報
【０００４】
【発明が解決しようとする課題】
しかし、上述した従来の特許文献１記載のレンズ保護機構を有する撮像装置では、レンズの保護用カバーを開閉させる動作電圧は、保護用カバーを開閉駆動させるレンズ保護機構の特性上、常温動作時よりも低温動作時でレンズ保護機構の駆動部に高い電圧をかける必要があった。
【０００５】
ここで、常温動作時においても低温動作を考慮した高い電圧で一律に動作させていた。このため、常温動作時にも低温動作時と同じだけの消費電力がかかってしまうという不都合があった。
【０００６】
そこで、本発明は、かかる点に鑑みてなされたものであり、外気温度に変化がある場合でもレンズ保護機構の駆動部における消費電力の増加を抑えることができる撮像装置を提供することを課題とする。
【０００７】
【課題を解決するための手段】
本発明の撮像装置は、光学系の上記被写体側の面を駆動部によりカバー部が覆う位置または開放する位置にカバー部を開閉移動させる保護手段と、光学系の近傍の外気側の温度を検出する温度検出手段と、温度検出手段により検出された温度に応じて値が変化するものであって、保護手段の駆動部に供給され、カバー部を開閉移動させる駆動信号を生成する信号生成手段とを備えたものである。
【０００８】
従って本発明によれば、以下の作用をする。
温度検出手段から任意の温度よりも高い温度の温度信号が信号生成手段に入力された時、レンズの保護用カバーを開閉駆動させるレンズ保護機構の特性を考慮すると開閉させるカバー開閉電圧の電圧値を低くできるため、信号生成手段の温度対応パルス生成部は温度対応パルス波形の一周期あたりのハイレベルの期間であるパルス幅を小さくし、パルス幅に対応する積分値のカバー開閉電圧の電圧値を低くする。
【０００９】
また、温度検出手段から任意の温度よりも低い温度の温度信号が信号生成手段に入力された時、レンズの保護用カバーを開閉駆動させるレンズ保護機構の特性を考慮すると開閉させる電圧値を高くする必要があるため、信号生成手段の温度対応パルス生成部は一周期あたりのハイレベルの期間であるパルス幅を大きくし、パルス幅に対応する積分値のカバー開閉電圧の電圧値を高くする。
これにより、温度に応じたカバー開閉電圧により、温度に応じた電圧値のカバー開閉電圧に適応した消費電力でのカバー開閉動作が可能となる。
【００１０】
【発明の実施の形態】
以下に、本発明の実施の形態について、適宜、図面を参照しながら説明する。
【００１１】
図１は、本発明の実施の形態に適用されるカメラの外観図である。
図１に示すカメラ１は、以下特に説明はしないが、光学系を介して撮像手段により被写体を撮像することができる機能を有している。
【００１２】
図１において、カメラ１は、光学系のレンズ３の被写体側の面を図示しない駆動部により中心Ｏを軸としてレンズ保護カバー５が点線で示す覆う位置または実線で示す開放する位置にレンズ保護カバー５を開閉移動させる保護手段を有して構成される。
【００１３】
なお、レンズ保護カバー５は、保護手段により、点線で示すレンズ３を覆う位置には弾性力に従って一気に移動し、実線で示すレンズ３を開放する位置には弾性力に抗して徐々に移動するように構成される。
【００１４】
また、カメラ１は、光学系のレンズ３の近傍の外気側の温度を検出する温度検出手段としての温度検出部４を有して構成される。
【００１５】
この温度検出部４は、レンズブロック２の外気側に設けられる。温度検出部４は、例えば、温度に応じて抵抗値が変化することにより、外気の温度が低いとき高い電圧を出力し、外気の温度が高いとき低い電圧を出力するサーミスタで構成される。
【００１６】
このような構成において、一定時間内にユーザーによる撮像に関する入力操作がないときまたはあったとき、またはユーザーによるレンズ保護カバー５を開閉するための入力操作があったとき、レンズ保護カバー５は、保護手段により、点線で示すレンズ３を覆う位置に弾性力に従って一気に移動し、または実線で示すレンズ３を開放する位置に弾性力に抗して徐々に移動する。
【００１７】
図２は、レンズ保護機構の制御系統を示すカメラの構成を示すブロック図である。
図２において、温度検出部４は、レンズブロック２の外気側に設けられる。温度検出部４は、例えば、温度に応じて抵抗値が変化することにより、外気の温度が低いとき高い電圧を出力し、外気の温度が高いとき低い電圧を出力するサーミスタで構成される。温度検出部４は、外気の温度が低いとき高い電圧となり、外気の温度が高いとき低い電圧となる温度信号（アナログ）１２を出力するように構成される。
【００１８】
温度検出部４から出力された温度信号（アナログ）１２はＡ／Ｄ変換回路６によりデジタルの温度信号１３に変換されるように構成される。
【００１９】
ＣＰＵ７の温度対応パルス生成部８は、デジタルの温度信号１３に対応した温度対応パルス１４を生成するための温度対応パルス生成テーブルに基づいて、温度検出部４により検出された温度に応じて値が変化するものであって、レンズ保護カバー５の駆動部である後述するレンズ保護アクチュエータ１１に供給され、レンズ保護カバー５を開閉移動させる駆動信号である温度対応パルス１４を生成するように構成される。
【００２０】
ＣＰＵ７の温度対応パルス生成部８から出力された温度対応パルス１４はレンズドライバ９により電圧値を増幅されて駆動パルス１５となるように構成される。
【００２１】
ＣＰＵ７及びレンズドライバ９からは温度対応パルス１４および駆動パルス１５のパルス波形が出力されるため、積分回路１０によりそのパルス波形を積分し一定電圧値のカバー開閉電圧１６にするように構成される。積分回路１０は、例えば、コンデンサＣ、抵抗Ｒで構成される。
【００２２】
レンズ保護アクチュエータ１１は、一定電圧値にされたカバー開閉電圧１６でレンズの保護用カバー５を開閉させるように構成される。
【００２３】
図３は、レンズ保護機構の構成例を示す図である。
図３において、レンズ保護機構は、例えば、レンズ３に対してカバー開閉電圧１６によりレンズ保護用カバー５を開閉させるレンズ保護アクチュエータ１１と、レンズ保護アクチュエータ１１に一点鎖線で示す支持部材を介して結合されるレンズ保護用カバー５とで構成される。レンズ保護用カバー５は、閉方向には図示しないバネにより弾性力が付与されるように構成される。
【００２４】
レンズ保護アクチュエータ１１は、例えば、カバー開閉電圧１６により回転駆動されるモーター１７と、モーター１７の回転力を一点鎖線で示す支持部材を介して結合されるレンズ保護用カバー５に伝達するギヤ１８とで構成される。
【００２５】
なお、レンズ保護アクチュエータ１１は、モーター１７およびギヤ１８に限らず、他の構成、例えば、モーター１７およびラックアンドピニオンで構成しても良い。
【００２６】
上述したように構成される本発明の実施の形態に適用されるカメラは、以下のような動作をする。
【００２７】
任意の温度（以下、Ａ℃）より温度が高い時（以下、Ｂ℃）、低い時（以下、Ｃ℃）、この時レンズの保護用カバー５を開閉させる場合の動作を説明する。
【００２８】
図４は、任意の温度（Ａ℃）より高い温度  （Ｂ℃）に変化したときの信号波形図であり、図４Ａは温度信号（アナログ）の波形、図４Ｂは温度対応パルス波形、図４Ｃはカバー開閉電圧である。
【００２９】
図４Ａに示すように任意の温度（Ａ℃）より高い温度  （Ｂ℃）に変化したとき、点線で示す任意の温度（Ａ℃）  の任意の電圧値の温度信号（アナログ）の波形より大きい電圧値の実線で示す温度  （Ｂ℃）の温度信号（アナログ）の波形１２が温度検出部４から出力される。
【００３０】
図４Ｂに示すように任意の温度（Ａ℃）より高い温度  （Ｂ℃）に変化したとき、点線で示す任意の温度（Ａ℃）の任意のパルス幅ＰＡより幅の狭いパルス幅ＰＢの実線で示す温度  （Ｂ℃）の温度対応パルス波形１４が温度対応パルス生成部８から出力される。この温度対応パルス波形１４は、例えば、Ａ／Ｄ変換回路６のサンプリング周期に対応するように、１周期Ｔごとに出力される。
【００３１】
図４Ｃに示すように任意の温度（Ａ℃）より高い温度  （Ｂ℃）に変化したとき、点線で示す任意の温度（Ａ℃）の任意のパルス幅ＰＡに対応する積分値の電圧値より小さい電圧値のパルス幅ＰＢに対応する積分値の電圧値の実線で示す高い温度  （Ｂ℃）のカバー開閉電圧１６が積分回路１０から出力される。このカバー開閉電圧１６は、例えば、Ａ／Ｄ変換回路６のサンプリング周期に対応するように、１周期Ｔごとに出力される。
【００３２】
上述したように、例えば、Ａ℃よりも高いＢ℃の温度信号１２がＣＰＵ７に入力された時、レンズの保護用カバー５を開閉駆動させるレンズ保護機構の特性を考慮すると開閉させるカバー開閉電圧１６の電圧値を低くできるため、ＣＰＵ７の温度対応パルス生成部８は温度対応パルス波形１４の一周期Ｔあたりのハイレベルの期間であるパルス幅を小さくし積分回路１０後のカバー開閉電圧１６の電圧値を低くする。
【００３３】
図５は、任意の温度（Ａ℃）より低い温度  （Ｃ℃）に変化したときの信号波形図であり、図５Ａは温度信号（アナログ）の波形、図５Ｂは温度対応パルス波形、図５Ｃはカバー開閉電圧である。
図５Ａに示すように任意の温度（Ａ℃）より低い温度  （Ｃ℃）に変化したとき、点線で示す任意の温度（Ａ℃）  の任意の電圧値の温度信号（アナログ）の波形より小さい電圧値の実線で示す低い温度  （Ｃ℃）の温度信号（アナログ）の波形１２が温度検出部４から出力される。
【００３４】
図５Ｂに示すように任意の温度（Ａ℃）より低い温度  （Ｃ℃）に変化したとき、点線で示す任意の温度（Ａ℃）の任意のパルス幅ＰＡより幅の広いパルス幅ＰＣの実線で示す低い温度  （Ｃ℃）の温度対応パルス波形１４が温度対応パルス生成部８から出力される。この温度対応パルス波形１４は、例えば、Ａ／Ｄ変換回路６のサンプリング周期に対応するように、１周期Ｔごとに出力される。
【００３５】
図５Ｃに示すように任意の温度（Ａ℃）より低い温度  （Ｃ℃）に変化したとき、点線で示す任意の温度（Ａ℃）の任意のパルス幅ＰＡに対応する積分値の電圧値より大きい電圧値のパルス幅ＰＣに対応する積分値の電圧値の実線で示す低い温度  （Ｃ℃）のカバー開閉電圧１６が積分回路１０から出力される。このカバー開閉電圧１６は、例えば、Ａ／Ｄ変換回路６のサンプリング周期に対応するように、１周期Ｔごとに出力される。
【００３６】
また、温度検出部４であるサーミスタ素子からＡ℃よりも低いＣ℃の温度信号１２がＣＰＵ７に入力された時、レンズの保護用カバーを開閉駆動させるレンズ保護機構の特性を考慮すると開閉させる電圧値を高くする必要があるため、ＣＰＵ７の温度対応パルス生成部８は一周期Ｔあたりのハイレベルの期間であるパルス幅を大きくし積分回路１０後のカバー開閉電圧１６の電圧値を高くする。
【００３７】
これにより、温度に応じたカバー開閉電圧１６により、温度に応じたカバー開閉電圧１６に適応した消費電力でのカバー開閉動作が可能となる。
【００３８】
また、その時々のレンズ近傍の温度に対して、一番小さいカバー開閉電圧１６の電圧値でレンズの保護用カバー５を開閉させることができ、消費電力を低減することが出来る。
【００３９】
上述した本発明の実施の形態に限らず、レンズ保護アクチュエータ１１のモーター１７は直流信号を駆動信号とする直流モーターに限らず、パルスを駆動信号とするステッピングモーターを用いても良く、ステッピングモーターを用いる場合には、積分回路１０は不要であり、レンズドライバ９の出力の駆動パルス１５を直接駆動パルスとして用いればよく、本発明の特許請求の範囲を逸脱しない限り、適宜、他の構成をとりうることは言うまでもない。
【００４０】
【発明の効果】
この発明によれば、温度に応じたカバー開閉電圧により、温度に応じたカバー開閉電圧に適応した消費電力でのカバー開閉動作を可能とすることができるという効果を奏する。
【００４１】
また、その時々のレンズ近傍の温度に対して、一番小さいカバー開閉電圧の電圧値でレンズの保護用カバーを開閉させることができ、消費電力を低減することができるという効果を奏する。
【図面の簡単な説明】
【図１】本発明の実施の形態に適用されるカメラの外観図である。
【図２】レンズ保護機構の制御系統を示すカメラの構成を示すブロック図である。
【図３】レンズ保護機構の構成例を示す図である。
【図４】任意の温度（Ａ℃）より高い温度  （Ｂ℃）に変化したときの信号波形図であり、図４Ａは温度信号（アナログ）の波形、図４Ｂは温度対応パルス波形、図４Ｃはカバー開閉電圧である。
【図５】任意の温度（Ａ℃）より低い温度  （Ｃ℃）に変化したときの信号波形図であり、図５Ａは温度信号（アナログ）の波形、図５Ｂは温度対応パルス波形、図５Ｃはカバー開閉電圧である。
【符号の説明】
１……カメラ、２……レンズブロック、３……レンズ、４……温度検出部、５……レンズ保護カバー、６……Ａ／Ｄ変換回路、７……ＣＰＵ、８……温度対応パルス生成部、９……レンズドライバ、１０……積分回路、１１……レンズ保護アクチュエータ、１２……温度信号（アナログ）、１３……温度信号（デジタル）、１４……温度対応パルス、１５……駆動パルス、１６……カバー開閉電圧、１７……モーター、１８……ギヤ
【図１】
2005003921.tif 000003
【図２】
2005003921.tif 000004
【図３】
2005003921.tif 000005
【図４】
2005003921.tif 000006
【図５】
2005003921.tif 000007